(57)【要約】【課題】同一の画素数を保ちながらも、これらの画素の駆動に所要するアドレス電極の個数を減らすことができる電極構造を有するプラズマ表示パネルを提供することを目的とする。【解決手段】放電セルのうちで隣り合う３つの放電セルが、三角形に配列されて、一画素を構成するプラズマ表示パネルにおいて、基板面に平行な面内において第１の方向に配列された画素らには、一画素当たりに、前記電極群のうちの１つであって、前記第１の方向と一定の角をなすアドレス電極が、平均で１．５本ずつ対応または振り分けられることを特徴とするプラズマ表示パネルが開示される。このような本発明によれば、同等の水平解像度の表示において、アドレス電極及びその駆動に所要する駆動回路チップの個数を減らすことができるので、全体としての消費電力と発熱量とを減らすことができる。【選択図】図３
2007141818.tif 000002
【特許請求の範囲】
【請求項１】
２枚の基板と、前記２枚の基板間に位置して、前記２枚の基板間の空間を仕切って放電セルを構成するようにする隔壁と、前記２枚の基板及び前記隔壁のうちの少なくとも１つに形成され、前記放電セルに放電を導く電極群と、前記放電セルに形成される蛍光体層と、前記放電セルの空間を満たす放電ガスとを備え、
前記放電セルのうちで隣り合う３つの放電セルが、三角形に配列されて、一画素を構成するプラズマ表示パネルにおいて、
第１の方向に配列された画素には、一画素当たりに、前記電極群のうちの１つであって、前記基板に平行な面において前記第１の方向と一定の角をなすアドレス電極が、平均で１．５本ずつ振り分けられることを特徴とするプラズマ表示パネル。
【請求項２】
前記画素は、隣り合う３つの放電セルが、三角形のうち、デルタ状またはナブラ状に配列されてなり、
前記第１の方向に配列された画素は、前記デルタ状に配列された画素と、前記ナブラ状に配列された画素とが交互に配列されてなり、
前記画素の各々には、前記アドレス電極が２本通ることを特徴とする請求項１に記載のプラズマ表示パネル。
【請求項３】
前記第１の方向に配列された画素は、前記第１の方向に形成されると共に、前記基板に平行な面において前記第１の方向と一定の角をなす第２の方向に隣り合う２つの放電セルの行からなり、
前記放電セルの行には、３つの色彩の光を放出する３種の放電セルが順次周期的に配置され、前記３つの色彩の光を放出する３つの放電セルの全幅を１周期にするとき、前記第２の方向に隣り合う放電セルの行は、前記第１の方向に互いに１/２周期分ずれるように配置され、
前記放電セルの行をなす各々の放電セルには、前記アドレス電極が１本ずつ振り分けられることを特徴とする請求項１に記載のプラズマ表示パネル。
【請求項４】
前記放電セルは、六角形または四角形であることを特徴とする請求項１に記載のプラズマ表示パネル。
【請求項５】
前記アドレス電極は、前記第１の方向に垂直な方向に形成され、
前記基板面に垂直な方向から見るとき、前記隔壁のうちで前記アドレス電極に平行な垂直隔壁の部分の間に形成されることを特徴とする請求項２または３に記載のプラズマ表示パネル。
【請求項６】
前記アドレス電極が通る前記放電セルの領域内に、前記アドレス電極から分岐される枝電極が備えられることを特徴とする請求項２または３のいずれかに記載のプラズマ表示パネル。
【請求項７】
前記枝電極は、前記アドレス電極から前記放電セルの中央部に向かって分岐されることを特徴とする請求項６に記載のプラズマ表示パネル。
【請求項８】
前記電極群のうち、保持電極が、全体から見て前記第１の方向に長く設けられ、
前記保持電極は、前記第１の方向と垂直な第２の方向に、スキャン電極と共通電極とが交互に設けられてなることを特徴とする請求項１に記載のプラズマ表示パネル。
【請求項９】
前記放電セルは、四角形であり、
前記保持電極は、前記隔壁のうちの第１の方向に形成される部分と重なるようになることを特徴とする請求項８に記載のプラズマ表示パネル。
【請求項１０】
前記放電セルは、六角形であり、
前記保持電極は、前記隔壁のうちの第１の方向にジグザグ状に形成される部分と重なるようになることを特徴とする請求項８に記載のプラズマ表示パネル。
【請求項１１】
前記第１の方向に配列された画素からなる画素行の１つには、平均に１つの共通電極と１つのスキャン電極が振り分けられることを特徴とする請求項８に記載のプラズマ表示パネル。
【請求項１２】
前記保持電極は、前記第２の方向に同一の間隔で形成され、
アリス（ＡＬＩＳ）方式で駆動されることを特徴とする請求項８〜請求項１１のいずれか一項に記載のプラズマ表示パネル。
【請求項１３】
前記共通電極は、２つの共通電極のグループに振り分けられて別途の電圧波形が印加されることを特徴とする請求項１２に記載のプラズマ表示パネル。
【請求項１４】
２枚の基板と、前記２枚の基板間に位置して、前記２枚の基板間の空間を仕切って放電セルを構成するようにする隔壁と、前記２枚の基板及び前記隔壁のうちの少なくとも１つに形成され、前記放電セルに放電を導く電極群と、前記放電セルに形成される蛍光体層と、前記放電セルの空間を満たす放電ガスとを備え、
前記放電セルのうちで隣り合う３つの放電セルが、三角形に配列されて、一画素を構成するプラズマ表示パネルにおいて、
第１の方向に配列された画素には、一画素当たりに、前記電極群のうちの１つであって、前記基板に平行な面において前記第１の方向と一定の角をなすアドレス電極と、前記電極群のうちで保持放電に関連され、前記第１の方向に形成される保持電極との平均としての個数比率が３：４であることを特徴とするプラズマ表示パネル。
【発明の詳細な説明】
【技術分野】
【０００１】
本発明は、プラズマ表示パネルに関し、より詳細には、電極の配列と隔壁の構造とを通じて画素の集積度を高めるに好適なプラズマ表示パネルに関する。
【背景技術】
【０００２】
プラズマ表示装置は、対向する２枚の基板間に、隔壁と駆動電極とを形成し、一定の間隔を有するように重ねて、内部に放電ガスを注入した後、封止して形成するプラズマ表示パネル（Ｐｌａｓｍａ  Ｄｉｓｐｌａｙ  Ｐａｎｅｌ：ＰＤＰ、以下、“パネル”とも言う。）を用いた平板状の表示装置を言う。プラズマ表示装置は、プラズマ表示パネルを形成した後、パネルの各電極に連結される駆動回路など、画面の具現に必要な要素を設けてなる。
【０００３】
プラズマ表示パネルでは、画面を表示するための数多くの画素が、縦横に周期的に且つ規則的に配列される。プラズマ表示パネルにおいて、各画素は、その駆動のための能動素子無しに、単純に電極に電圧を印加する方式、すなわち、受動マトリックス方式で駆動される。各電極を駆動するための電圧信号の形態によって、プラズマ表示パネルは、直流型と交流型とに分けられ、放電電圧が印加される両電極の配置によって、対向型、面放電型などに分けられる。
【０００４】
交流型の場合、電極が誘電体層で覆われるので、自然に静電容量を有することになり、電極を流れる電流が制限されて、放電時のイオン衝撃からの電極の保護が容易に行われる。その結果、電極の寿命も長くなるという利点がある。通常の交流面放電型のプラズマ表示パネルでは、２枚の基板のうちで一方の基板の内側に、面放電型のプラズマ表示パネルにおいて多数のアドレス電極が互いに平行で垂直方向に形成される。該基板や他方の基板の内側に、保持電極または表示電極と称される共通電極と走査電極とは、交互に平行で水平方向に形成される。
【０００５】
通常、マトリックス状である画素の配列は、隔壁と電極との形成により具体的に行われる。一つのカラー画素は、およそ異なる色の可視光を発する３つの放電セルが組み合わされてなる。この時、画素は、３つが並んで配列されたり、三角形に配列されたりしてもよく、放電セルは、四角形、六角形等であってもよい。
【０００６】
隔壁は、アドレス電極と並んで列方向のみに直線状となったストライプ状、行方向と列方向とからなり、一つのセルを仕切る格子状等となってもよく、これらの混合構成により、ストライプ隔壁間の幅が狭くなったり広くなったりすることを繰り返し、広くなった区間に放電セルを構成する蛇行（Ｍｅａｎｄｅｒ）構造を実現することもできる。
【０００７】
図１は、従来のマトリックス状のプラズマ表示パネルの一例において、各画素別の電極構造を示す概略的平面図である。
【０００８】
図２は、従来の六角放電セルの三角形配列を有したプラズマ表示パネルの一例において、各画素別の電極構造を示す概略的平面図である。
【０００９】
これら従来のプラズマ表示パネルにおいて、３つの放電セルからなる１画素毎に、縦方向に形成されたアドレス電極（Ａ）が３つ通るようになる。プラズマ表示装置に関連して、画質を高めるために、高精細化、高輝度化の技術開発が継続して行われている。現状で高精細な画面を実現するためには、横方向に配列された画素数及び画素密度も増え、アドレス電極（Ａ：Ａｍ…Ａｍ＋１１）の個数も併せて増加することになる。
【００１０】
しかしながら、アドレス電極が増えると、保持電極（Ｘ、Ｙ）と異なり、アドレス電極の特性上、消耗される電力も大きくなり、発熱量が多くなってしまう。特に、アドレス電極（Ａ）の個数が増えて、アドレス電極の間の間隔が狭くなると、寄生容量の増加に従って、電極消耗と発熱量とが急激に増加して、信号特性も悪くなることがある。
【００１１】
また、アドレス電極の個数が増えると、アドレス電極の駆動に所要するテープキャリアパッケージ（ＴＣＰ）のような高価な部品の使用も増え、駆動ボードの設計が難しくなるという問題がある。このような現象は、いずれも、プラズマ表示装置の設計と作製とを難しくする要因になる。そのため、解像度あるいは画素数を保ちながら、アドレス電極の個数を減らすような技術が望まれている。
【発明の開示】
【発明が解決しようとする課題】
【００１２】
本発明は、前述した従来技術の問題点を解決するためのものであり、同一の画素数を保ちながらも、これらの画素の駆動に所要するアドレス電極の個数を減らすことができる電極構造を有するプラズマ表示パネルを提供することを目的とする。
【００１３】
本発明は、同程度の画素密度を保ちながらも、電力消耗と部品費用を低減することができる構成のプラズマ表示パネルを提供することを目的とする。
【課題を解決するための手段】
【００１４】
前記目的を達成するための本発明の一側面によれば、本発明のプラズマ表示パネルは、
２枚の基板と、前記２枚の基板間に位置して、前記２枚の基板間の空間を仕切って放電セルを構成するようにする隔壁と、前記２枚の基板及び隔壁のうちの少なくとも１つに形成され、放電セルに放電を導く電極群と、放電セルに形成される蛍光体層と、放電セルの空間を満たす放電ガスとを備え、放電セルのうちで隣り合う３つの放電セルが、三角形に配列されて、一画素を構成するプラズマ表示パネルにおいて、
基板面に平行な面内において第１の方向に配列された画素には、一画素当たりに、前記電極群の一つであって、前記第１方向と一定の角をなすアドレス電極が、平均で１．５本ずつ対応され、または振り分けられることを特徴とする。
【００１５】
このとき、画素は、隣り合う３つの放電セルが、三角形のうち、デルタ状またはナブラ状に配列されてなり、前記第１の方向に配列された画素でなる画素の行は、前記デルタ状に配列された画素と、前記ナブラ状に配列された画素とが、交互に配列されてなり、画素の各々には、前記アドレス電極が２本通ることができる。
【００１６】
また、本発明において、前記第１の方向に配列された画素は、前記第１の方向に形成されると共に、基板に平行な面において前記第１の方向と一定の角をなす第２の方向に隣り合う２つの放電セルの行からなってもよい。このとき、これらの放電セルの行には、３つの色彩の光を放出する放電セルが順次周期的に配置され、３つの色彩の光を放出する放電セルの３つがなす全幅を１周期にするとき、前記第２の方向に隣り合う放電セルの行は、前記第１の方向に互いに１／２周期分ずれるように配置され、放電セルの行をなす各々の放電セルには、アドレス電極が１本ずつ振り分けられてもよい。
【００１７】
本発明において、アドレス電極は、通常、前記第１の方向に垂直な方向に形成され、基板面に垂直な方向から見るとき、隔壁のうちでアドレス電極に平行な垂直隔壁の部分の間に形成される。例えば、アドレス電極は、隔壁のうちで縦方向に形成された隔壁と重ねないように、互いに近い上位放電セルの行の縦方向の隔壁と下位放電セルの行の縦方向の隔壁の間を通るように配列してもよい。
【００１８】
さらに、アドレス電極が通る放電セルの領域内には、アドレス電極から分岐される枝電極が備えられていてもよい。枝電極は、放電領域の拡散と放電の確実性を高める役割を果たし、アドレス電極から各放電セルの中央部に向かって分岐される形で形成されていてもよい。
【００１９】
本発明において、放電セルの放電を導く電極群のうち、保持電極が、基板において放電セルが集まってなる画面を全体として見るとき、前記第１の方向に長く形成され、この時、保持電極は、前記第１の方向と垂直な第２の方向に、スキャン電極と共通電極とが交互に設けられてなるものであってもよい。
【００２０】
本発明において、放電セルは、六角形または四角形であることが通常である。
【００２１】
例えば、放電セルは四角形であり、保持電極は、隔壁のうちの前記第１の方向に形成される部分と重なるようになり、または放電セルは六角形であり、保持電極は、隔壁のうちの放電セルの六角形の一部をなしながら第１の方向にジグザグに形成される部分と重なるようになってもよい。
【００２２】
保持電極の個数の観点から、第１の方向に配列された画素からなる画素行の１つには、平均に１つの共通電極と１つのスキャン電極が振り分けられてもよい。このとき、保持電極は、第２の方向に同一の間隔で形成され、アリス（ＡＬＩＳ：ａｌｔｅｒｎａｔｉｖｅ  ｌｉｇｈｔｅｎｉｎｇ  ｏｆ  ｓｕｒｆａｃｅ）方式で駆動されるものであってもよい。さらに、このとき、前記電極群のうち、共通電極は、アリス駆動のために、２つの共通電極のグループに振り分けられて別途の電圧波形が印加されるものであってもよい。
【発明の効果】
【００２３】
本発明によれば、プラズマ表示パネルにおいて、同等な水平解像度の画面を具現するためのアドレス電極及びその駆動に所要する駆動回路チップの個数を減らすことができる。
【００２４】
したがって、本発明では、プラズマ表示パネルにおいて、最大の電力消費及び放熱量を占めるアドレス電極の個数を減らし、全体としての消費電力と発熱量を減らすことができる。
【発明を実施するための最良の形態】
【００２５】
以下、図面を参照しながら、実施例を用いて本発明をより詳細に説明する。
【００２６】
図３は、本発明の一実施例に係るプラズマ表示パネルの概略的平面図である。
【００２７】
図３によれば、各放電セルは、四角形であり、互いに上下位置にある２行の３つの放電セルが組み合わせられて、三角形配列をなす画素を構成することになる。一つの放電セルの行には、３種の可視光線を放出する３種類の放電セル、例えば、Ｒ、Ｇ、Ｂが順に第１の方向に、本実施例においては、画面を基準として横方向に周期的に配列される。その下位放電セルの行にも、Ｒ、Ｇ、Ｂが順次周期的に配列される。但し、Ｒ、Ｇ、Ｂからなる一つの幅周期の１／２が、第１の方向、すなわち、横方向にずれた形態となっている。
【００２８】
上位行の横方向に隣り合う２つの放電セル、例えば、Ｒ、Ｇと、これらの放電セルに接する下位行の放電セル、例えば、Ｂとが形成するナブラ（∇）状が一画素をなし、上位行の次の放電セル、例えば、Ｂと、該放電セルに接する下位行の２つの放電セル、例えば、Ｒ、Ｇとが形成するデルタ（Δ）状が横方向に配列された次の画素を構成する。そして、横方向にこれらの２種の三角形が周期的に繰り返されることで、画素の全体的な横方向配列をなす。
【００２９】
基板面に平行な面内において第１の方向と一定の角をなす第２の方向に、本実施例では、平面図を基準として縦方向に形成されたアドレス電極（Ａ：Ａm＋１…Ａm＋６）は、一つの放電セルの行を基準としてみると、一つの放電セルに一本のアドレス電極が割り当てられる。しかし、これを画素単位から見ると、第１の方向、例えば、横方向に形成された４つの画素に対して、第２の方向、例えば、縦方向に形成された総６本のアドレス電極（Ａ：Ａm＋１…Ａm＋６）が割り当てられ、一画素当たりに、平均で１．５本のアドレス電極が割り当てられている。これは、従来の図２の例に比較するとき、一画素当たりのアドレス電極の個数を半分に減らした結果になる。
【００３０】
アドレス電極（Ａ）は、放電セルを仕切るための隔壁１１０において、縦方向に形成された隔壁の間に、ストライプ状をなして位置している。より具体的には、アドレス電極は、隔壁１１０のうちで縦方向に形成された隔壁と重ならないように、互いに近接している上部行の縦方向の隔壁と下部行の縦方向の隔壁との間を通過するように配列されている。また、各アドレス電極には、放電の精度を高めるために、縦断する放電セルの中心方向に、枝電極１２５が主なアドレス電極と直交するように形成される。したがって、一本のアドレス電極内において、上下の隣り合う枝電極は、逆方向に向うように形成されている。勿論、枝電極１２５の形態及び個数、主なアドレス電極となす角度は、様々な形態に変形可能である。
【００３１】
一方、図面において、横方向に形成される保持電極（Ｘ、Ｙ）は、各放電セルの行を仕切る横方向の隔壁と重なるように形成される。より具体的には、本実施例では、横方向の隔壁が縦方向に多数個配列される時、共通電極（Ｘ：ＸＮ＋１…ＸＮ＋３）とスキャン電極（Ｙ：ＹＭ…ＹＮ＋３）とが交互に位置するように設けられている。この場合、放電セルの組み合わせにより画素を形成するようになった上下２つの放電セルの行によって、平均で２つの保持電極、すなわち一つの共通電極と一つのスキャン電極が割り当てられる形態になる。
【００３２】
一方、この形態のパネル構造において、一つのスキャン電極に負電圧が印加された場合に、いずれかのアドレス電極に正電極が印加されると、当該スキャン電極の上下２つの放電セルでアドレス放電が起こることがあり、この場合、両画素の間の完全なる独立駆動が行われず、実質的な垂直解像度の低下をきたすことがある。このような問題は、周知のアリス（ＡＬＩＳ：ａｌｔｅｒｎａｔｉｖｅ  ｌｉｇｈｔｅｎｉｎｇ  ｏｆ  ｓｕｒｆａｃｅ）駆動を通じて解決することができる。アリス駆動方法は、様々な変形形態があるが、それぞれが多くの文献により公知であるため、具体的な記載は省略する。アリス駆動のために、共通電極（ＹＭ）は、第１の共通電極群（Ｙ２Ｍ＋１）と第２の共通電極群（Ｙ２Ｍ）とに分けられ、互いに異なる電圧が印加された状態で駆動される。
【００３３】
図４は、本発明の他の実施例に係るプラズマ表示パネルの概略的平面図である。
【００３４】
図４の実施例は、およその構成が図３の実施例と類似している。但し、各放電セルは六角形であり、上下の行の３つの放電セルが組み合わせられて、三角形配列となる画素を構成するようになる。ここでも、一つの放電セルの行には、３種の可視光線を放出する３種類の放電セル、例えば、Ｒ、Ｇ、Ｂが順次周期的に配列される。その下位放電セルの行にも、Ｒ、Ｇ、Ｂが順次周期的に配列される。但し、Ｒ、Ｇ、Ｂからなる一つの幅周期の１／２が、横方向にずれた形態となっている。
【００３５】
平面図を基準として縦方向に形成されたアドレス電極は、一つの放電セルの行を基準として見ると、一つの放電セルに対して１本のアドレス電極（Ａ）が割り当てられ、画素単位から見ると、横方向に形成された４つの画素に対して総６本のアドレス電極が割り当てられて、一画素当たりに、平均で１．５本のアドレス電極が割り当てられている。
【００３６】
アドレス電極は、放電セルを仕切るための隔壁において、縦方向に形成された隔壁の間に、ストライプ状をなして位置している。より具体的には、アドレス電極（Ａ）は、図面上で隔壁１１０のうちで縦方向に形成された隔壁と重ならないように、互いに近接している上部行の縦方向の隔壁と下部行の縦方向の隔壁との間を通過するように配列されている。また、各アドレス電極には、アドレス電極が縦断する放電セルの中心方向に、枝電極２２５が形成される。枝電極は、アドレス放電を放電セルのより広い領域に拡散させ、以降、表示放電を行う時でも、より広い空間において放電が行われるようにする役割を果たすことができる。
【００３７】
一方、横方向に形成される保持電極（Ｘ、Ｙ）は、六角形の放電セルを形成する隔壁の横方向にジグザグ状に形成された横方向部分と重なるように形成される。各保持電極３１０は、一つの材料で広幅に形成され、または、本実施例の保持電極のように、中央の狭幅のバス電極３１３と、バス電極に接する上下放電セルの中央部に一定の幅だけ広がっている透明電極３１５とを備えてなることもできる。
【００３８】
横方向の隔壁が縦方向に多数配列され、スキャン電極（ＸＮ）と共通電極（ＹＭ）とが交互に位置する。このような構成においても、該当スキャン電極の上下２つの放電セルにおいて独立駆動が行われるように、アリス（ＡＬＩＳ）駆動方法を用いることができる。
【００３９】
図３及び図４の実施例においては、４つの画素行と４つの画素列の総１６個の画素を示しているが、いずれも、縦方向に形成されたアドレス電極は６つ、横方向に形成されたスキャン電極は４つを有し、その個数比率が３：２となっている。アドレス電極と保持電極との個数比率としては３：４となる。
【００４０】
図３及び図４のような平面構成は、様々な方法で層構造を形成して実現することができる。例えば、電極は、パネルを構成する前面及び背面の基板のうちで一方の基板のみに形成することができ、２枚の基板に分けて形成することができる。そして、高精細化の傾向に伴い、放電電極間の距離が短くなったことから、放電の効率性を高めるためには、２種類の保持電極を隔壁に形成して、放電電極間の距離を増大させたロングギャップの対向放電型パネルを構成することもできる。
【００４１】
また、アドレス電極は、金属層で不透明に背面基板に形成され、その上に誘電層と隔壁とが形成され、その上に蛍光層が積層されて、背面基板を構成することができる。前面基板には、保持電極を構成する２種類の電極群が、金属あるいは金属とインジウムスズ酸化物（Ｉｎｄｉｕｍ Ｔｉｎ Ｏｘｉｄｅ：ＩＴＯ）等の透明導電膜として形成され、その上を誘電層及び保護層で覆うことができる。電極層や隔壁などの膜のパターンは、印刷あるいはフォトリソグラフィ方法を用いて形成することができ、保護膜などは、スパッタリングや蒸着などの様々な方法によって形成することができる。このような断面構造及び形成方法は、プラズマ表示パネルの分野の一般的な技術を有する者にとってよく知られているものであるので、これもまた具体的な形成方法についての記述を省略する。
【００４２】
下記の表は、本発明の一実施例に係るプラズマ表示パネルと、他の隔壁及び電極構造を有したプラズマ表示パネルとにおけるアドレス電極の個数、駆動用集積回路であるＴＣＰの個数、アドレスバッファボードの所要個数、アドレスの消費電力、アドレス回路当たりの発生熱、アドレス回路当たりの印加されるしきい電力値（瞬時電力）、スキャン電極の個数、スキャン駆動回路の個数を、理論的な因子を通じて比較したものである。
【００４３】
この時、アドレス電極当たりの消費電力と、発生熱、及びしきい電力値は、最悪の条件での値であり、六角蛇行状のシングルスキャンの場合を基準（１）にした比率値である。
【００４４】
デュアルスキャンは、アドレス駆動が上下部の両方で、シングルスキャンは、アドレス駆動が上下部の一方で行われる形態である。ストライプ、六角放電セル、六角蛇行（ｍｅａｎｄｅｒ）は、放電セルの形態に関連する隔壁構造を示し、ＦＨＤは、完全高精細方式（Ｆｕｌｌ  Ｈｉｇｈ  Ｄｅｆｉｎｉｔｉｏｎ Ｔｙｐｅ）を示す。
【００４５】
【表１】
2007141818.tif 000003
【００４６】
以上の表から、本発明の例が、アドレス電極の個数やＴＣＰの所要個数、アドレス電極当たりの消費電力、発熱量、及びしきい電力値のことから有利であることがわかる。
【図面の簡単な説明】
【００４７】
【図１】従来のマトリックス状のプラズマ表示パネルの一例において、各画素別の電極構造を示す概略的平面図である。
【図２】従来の六角放電セルの三角形配列を有したプラズマ表示パネルの一例において、各画素別の電極構造を示す概略的平面図である。
【図３】本発明の一実施例に係るプラズマ表示パネルの概略的平面図である。
【図４】本発明の他の実施例に係るプラズマ表示パネルの概略的平面図である。
【符号の説明】
【００４８】
１１０  隔壁
１２５、２２５  枝電極
３１３  バス電極
３１５  透明電極
Ａ（Ａｍ＋１…）  アドレス電極
Ｘ（ＸＮ＋１…）  共通（保持）電極
Ｙ（Ｙｍ＋１…）  スキャン（保持）電極
【図１】
2007141818.tif 000004
【図２】
2007141818.tif 000005
【図３】
2007141818.tif 000006
【図４】
2007141818.tif 000007